(57)【要約】【課題】胴枠に繋がる底壁を容易に折り曲げて箱に挿入でき、また、厚手の段ボールを使用しても組み立てられるようにする。【解決手段】角筒状の胴枠１を、外面部２と内面部３とを重ね合わせて形成し、胴枠１の各側壁４を、外面部２と内面部３の側板５が上端の折目線６を介して繋がり、隣り合う側板５が折目線７を介して繋がったものとし、物品を下方から受け止める底壁８を、側板５の下端から延設した底板９を重ね合わせて形成する段ボール製緩衝材において、底壁８の隣り合う底板９を繋部１１を介して繋いでおき、胴枠１の外面部２及び内面部３と底壁８とを折り重ねた扁平状態から巻き込むように折り曲げ、底壁８の繋部１１を切断し、底板９の折り曲げを水平方向へ戻すことにより組み立てるようにする。【選択図】図５
2013039963.tif 000002
【特許請求の範囲】
【請求項１】
角筒状の胴枠(1)を、外面部(2)と内面部(3)とを重ね合わせて形成し、胴枠(1)の各側壁(4)を、外面部(2)と内面部(3)の側板(5)が上端の折目線(6)を介して繋がり、隣り合う側板(5)が折目線(7)を介して繋がったものとし、物品を下方から受け止める底壁(8)を、側板(5)の下端から延設した底板(9)を重ね合わせて形成する段ボール製緩衝材において、底壁(8)の隣り合う底板(9)を繋部(11)を介して繋いでおき、胴枠(1)の外面部(2)及び内面部(3)と底壁(8)とを折り重ねた扁平状態から巻き込むように折り曲げ、底壁(8)の繋部(11)を切断し、底板(9)の折り曲げを水平方向へ戻すことにより組み立てることを特徴とする段ボール製緩衝材。
【請求項２】
前記外面部(2)の各隅の折目線(7)を、段ボールの表面側から厚さ方向の途中まで切り込んだ半切線としたことを特徴とする請求項１に記載の段ボール製緩衝材。
【発明の詳細な説明】
【技術分野】
【０００１】
この発明は、破損しやすく重量のある物品の梱包に適した段ボール製緩衝材に関するものである。
【背景技術】
【０００２】
例えば、瓶の箱詰めに用いる段ボール製緩衝材として、下記特許文献１には、図６及び図７に示すように、角筒状の胴枠５１を、外面部５２と内面部５３とを重ね合わせて形成し、胴枠５１の側壁５４を、外面部５２と内面部５３の側板５５が上端の折目線５６を介して繋がり、隣り合う側板５５が折目線５７を介して繋がったものとし、瓶を下方から受け止める底壁５８を、３方向の側板５５の下端から延出した底板５９を順次重ね合わせて形成するものが記載されている。
【０００３】
この緩衝材では、胴枠５１の外面部５２と内面部５３の各隅に切欠部６０，６１を設けて、折目線５７に沿った折り曲げに伴う段ボールの膨らみを逃がすようにしている。
【０００４】
このような緩衝材を縦長の箱Ｃに挿入し、瓶Ｂを箱Ｃに収納すると、胴枠５１と底壁５８とが繋がっていることから、箱Ｃを斜めに落としても、胴枠５１と底壁５８とが分離せず、衝撃が緩衝材全体で受け止められて、物品が保護される。
【先行技術文献】
【特許文献】
【０００５】
【特許文献１】特許第４０８８８０６号公報
【発明の概要】
【発明が解決しようとする課題】
【０００６】
しかしながら、上記のような構成を、例えば、建築材料であるセラミック板の輸送箱に挿入する緩衝材に適用しようとすると、底面積が大きくなることから、３枚の底板を重ね合わせて底壁を形成した状態で、箱に挿入するのが難しくなる。
【０００７】
また、材料として、複両面段ボールのように、極めて厚い段ボールを用いると、胴枠を各隅の折目線に沿って折り曲げる際、外面部と内面部の周方向の寸法差が大きくなり、切欠部を設けるだけでは折り曲げられなくなるという問題がある。
【０００８】
そこで、この発明は、胴枠に繋がる底壁を容易に折り曲げて箱に挿入でき、また、厚手の段ボールを使用しても組み立てられるようにすることを課題とする。
【課題を解決するための手段】
【０００９】
上記課題を解決するため、この発明は、角筒状の胴枠を、外面部と内面部とを重ね合わせて形成し、胴枠の各側壁を、外面部と内面部の側板が上端の折目線を介して繋がり、隣り合う側板が折目線を介して繋がったものとし、物品を下方から受け止める底壁を、側板の下端から延設した底板を重ね合わせて形成する段ボール製緩衝材において、底壁の隣り合う底板を繋部を介して繋いでおき、胴枠の外面部及び内面部と底壁とを折り重ねた扁平状態から巻き込むように折り曲げ、底壁の繋部を切断し、底板の折り曲げを水平方向へ戻すことにより組み立てるようにしたのである。
【００１０】
また、前記外面部の各隅の折目線を、段ボールの表面側から厚さ方向の途中まで切り込んだ半切線としたのである。
【発明の効果】
【００１１】
この発明に係る段ボール製緩衝材では、隣り合う底板同士を繋いで底壁を形成しているので、底壁を胴枠から折り曲げることにより、各側板に繋がる底板を一斉に折り曲げて箱に挿入でき、底板の折り曲げを繋部の切断に伴い水平方向に戻すだけで、底壁を容易に平坦な状態にすることができる。
【００１２】
また、外面部の各隅の折目線を段ボールの表面側から切り込んだ半切線としたので、材料として厚手の段ボールを使用しても、組立に際し、内面部より外周側の周囲が大きくなる外面部を、各隅の折目線に沿って内面部と共に折り曲げることができる。
【００１３】
そして、胴枠と底壁とが繋がっていることから、箱を斜めに落としても、胴枠と底壁とが分離せず、衝撃が緩衝材全体で受け止められて、物品が保護される。
【図面の簡単な説明】
【００１４】
【図１】この発明に係る段ボール製緩衝材のブランクを示す表面図
【図２】同上の組立過程の扁平折畳状態を示す斜視図
【図３】同上の角筒状に折り曲げた状態を示す斜視図
【図４】同上の箱への挿入過程を示す斜視図
【図５】同上の箱への挿入状態を示す斜視図
【図６】従来の段ボール製緩衝材を示す斜視図
【図７】同上の箱への挿入状態を示す縦断側面図
【発明を実施するための形態】
【００１５】
以下、この発明の実施形態を添付図面に基づいて説明する。
【００１６】
この段ボール製緩衝材は、図５に示すように、直方体の段ボール箱Ａに挿入されて、家屋の内装用セラミック板の輸送に使用されるものであり、図１に示すような複両面段ボールのブランクから形成される。
【００１７】
図１に示すように、この緩衝材のブランクでは、胴枠１となる部分が外面部２と内面部３とから構成され、外面部２と内面部３は、各面を形成する５つの側壁４に区画されている。側壁４をなす外面部２と内面部３の側板５は、上端及び各隅となる折目線６，７を介して繋がったものとされている。
【００１８】
ここで、中央の側壁４は、段ボール箱Ａの長手方向に対応し、その両側に隣り合う側壁４は、段ボール箱Ａの幅方向に対応し、その外側の側壁４は、互いに突き合わされて段ボール箱Ａの長手方向に対応する。
【００１９】
外面部２と内面部３の境界は、厚手の複両面段ボールを１８０°折り曲げられるようにするため、僅かな繋部を残して厚さ方向に完全に切断され、その繋部に折目線６となる押罫線が入れられている。
【００２０】
外面部２の隣り合う側板５の境界となる折目線７は、段ボールの表面側から厚さ方向に裏面側のライナのみ残して切り込んだ半切線とされ、内面部３の隣り合う側板５の境界となる折目線７は、段ボールの裏面側から入れた押罫線とされている。
【００２１】
外面部２と内面部３の折目線７は、同一直線上に揃えて配置され、また、外面部２の折目線７は、側板５の高さ方向の中間部分にのみ存在し、その上方及び下方は、長手方向の側板５に張出部５ａを形成するように、折目線７からずらして切断されている。
【００２２】
内面部３の下辺には、底壁８となる部分として、各側板５にそれぞれ底板９が連設されている。側板５と底板９との境界の折目線１０は、段ボールの裏面側から入れた押罫線とされている。
【００２３】
そして、隣り合う底板９の先端部分は、切目入りの繋部１１を介して繋がれ、他の部分は、スロット状の切抜穴により切り離されている。
【００２４】
長手方向の側板５に繋がった底板９には、根元の角部から内側へ４５°傾斜した折目線１２が入れられ、折目線１２は、谷折りを可能とするため、段ボールの裏面側から押罫線と切目線とを入れたリード罫とされている。中央に位置する底板９の先端縁には、底壁の組立時に指を掛ける切欠部１３が設けられている。
【００２５】
外面部２の幅方向の側板５には、段ボール箱Ａの取手穴に一致するように取手穴１４が設けられ、この側板５と内面部３の側板５とに亘って、段ボール箱Ａからの取出時に指を入れる切欠部１５が設けられている。
【００２６】
このようなブランクから緩衝材を組み立てて使用するには、まず、図２に示すように、外面部２と内面部３とを折目線６に沿って折り重ね、底壁８を折目線１０に沿って折り返し、内面部３に重ねた扁平状態とする。このとき、底板９は、繋部１１で繋がっているので、一斉に折れ曲がる。
【００２７】
次に、この扁平状態から、図３に示すように、胴枠１を折目線７に沿って底壁８と共に角筒状に折り曲げる。このとき、外面部２の各隅の折目線７を段ボールの表面側から切り込んだ半切線としたので、内面部３より外周側の周囲が大きくなる外面部２を、各隅の折目線７に沿って内面部３と共に無理なく折り曲げることができる。
【００２８】
そして、図４に示すように、この緩衝材を段ボール箱Ａに上方から挿入し、図５に示すように、繋部１１を切断して、長手方向の底板９を折目線１２に沿って屈曲させつつ、水平方向へ戻して、折目線１２での屈曲を復元させ、幅方向の底板９を水平方向へ戻して、底板９同士を重ね合わせると、平坦な底壁８が形成される。
【００２９】
上記のような緩衝材を使用してセラミック板を梱包すると、胴枠１と底壁８とが繋がっていることから、段ボール箱Ａを斜めに落としても、胴枠１と底壁８とが分離せず、衝撃が緩衝材全体で受け止められて、セラミック板の破損が防止される。
【００３０】
また、長手方向の側板５から突出した張出部５ａが段ボール箱Ａの幅方向の側壁内面に当接し、緩衝空間が形成されているので、優れた緩衝性が得られる。
【００３１】
なお、上記実施形態では、底板９が内面部３の側板５に連設されたものを例示したが、底板９は、外面部２の側板５に連設してもよい。
【００３２】
また、隣り合う底板９を先端部分の繋部１１で繋いだものを例示したが、繋部１１は、底板９の中間部分に位置するようにしてもよい。
【００３３】
そのほか、材料として、複両面段ボールを使用したものを例示したが、通常の両面段ボールのうち、厚手ものを使用するようにしてもよい。
【符号の説明】
【００３４】
１  胴枠
２  外面部
３  内面部
４  側壁
５  側板
５ａ  張出部
６，７  折目線
８  底壁
９  底板
１０  折目線
１１  繋部
１２  折目線
１３  切欠部
１４  取手穴
１５  切欠部
Ａ  段ボール箱
【図１】
2013039963.tif 000003
【図２】
2013039963.tif 000004
【図３】
2013039963.tif 000005
【図４】
2013039963.tif 000006
【図５】
2013039963.tif 000007
【図６】
2013039963.tif 000008
【図７】
2013039963.tif 000009